(57)【要約】【課題】  用紙梱包物を自動的に開封すること。【解決手段】  梱包開封装置１５０Ａは、複数の用紙が重なった用紙束を梱包用紙で梱包した用紙梱包物２００が載置される下側構造部１０と、ワイヤー７０と、ワイヤー７０が用紙梱包物２００内の複数の用紙のうち互いに重なる２つの用紙の間を通過するようにワイヤー７０を移動させる移動機構を有する上側構造部３０と、を備える。このため、複数の用紙を切断することなく用紙梱包物２００の側面を切断することができる。【選択図】図２
2019031390.tif 000002
【特許請求の範囲】
【請求項１】
複数の用紙が重なった用紙束を梱包用紙で梱包した用紙梱包物が載置される下部本体と、
ワイヤーと、
前記ワイヤーが前記複数の用紙のうち互いに重なる２つの用紙の間を通過するように前記ワイヤーを移動させる移動機構と、を備えた梱包開封装置。
【請求項２】
前記移動機構は、前記ワイヤーに張力を与える張力付与手段を、さらに含む、請求項１に記載の梱包開封装置。
【請求項３】
前記移動機構は、前記ワイヤーが前記複数の用紙の少なくとも１つの辺と交差する角度が４５°以上となるように、前記ワイヤーを移動させる、請求項１または２に記載の梱包開封装置。
【請求項４】
前記移動機構は、前記ワイヤーと同じ高さに配置される刃部を、さらに含み、
前記用紙梱包物の側面の前記梱包用紙の少なくとも一部に切り込みを入れるために、前記刃部を移動させる、請求項１〜３のいずれかに記載の梱包開封装置。
【請求項５】
前記移動機構は、前記用紙梱包物の２つの側面が交わる稜線で前記刃部を前記ワイヤーと平行な方向に移動させる、請求項４に記載の梱包開封装置。
【請求項６】
前記移動機構は、前記ワイヤーの一端に接続された針状部材と、
前記用紙梱包物の側面から前記針状部材を挿入する挿入手段と、
前記用紙梱包物を貫通した前記針状部材を保持する保持部材と、を含む、請求項１〜３のいずれかに記載の梱包開封装置。
【請求項７】
前記移動機構は、前記ワイヤーが前記用紙梱包物の３つの側面で前記梱包用紙を切断した後、前記用紙梱包物の残りの側面で前記梱包用紙に前記ワイヤーを接触させた状態で、前記ワイヤーを前記用紙梱包物から離れる方向に移動させる、請求項１〜６のいずれかに記載の梱包開封装置。
【請求項８】
前記移動機構は、前記用紙梱包物の第１の側面で互いに重なった前記梱包用紙の間を通過するように前記ワイヤーを移動させる、請求項１〜７のいずれかに記載の梱包開封装置。
【請求項９】
前記移動機構は、前記ワイヤーの両端をそれぞれ懸架する２つの保持部材を、含み、
前記２つの保持部材を、前記用紙梱包物の異なる２つの側面に沿ってそれぞれ移動させる、請求項１〜８のいずれかに記載の梱包開封装置。
【請求項１０】
請求項１〜９のいずれかに記載の梱包開封装置を備えた画像形成装置。
【請求項１１】
複数の用紙が重なった用紙束を梱包用紙で梱包した用紙梱包物が載置される場合、前記用紙梱包物内の前記複数の用紙のうち互いに重なる２つの用紙の間をワイヤーが通過するように前記ワイヤーを移動させる移動ステップを梱包開封装置に実行させる梱包開封方法。
【発明の詳細な説明】
【技術分野】
【０００１】
本発明は、梱包開封装置、画像形成装置および梱包開封方法に関し、特に、複数の用紙が重なった用紙束を梱包用紙で梱包した用紙梱包物を開封する梱包開封装置およびその梱包装置を備えた画像形成装置、その梱包開封装置で実行される梱包開封方法に関する。
【背景技術】
【０００２】
複合機で代表される画像形成装置は、消耗品として用紙を供給する必要がある。特開２００１−３１２５８号公報には、梱包シートで梱包されたシート束が載置されて本体に対して出し入れ可能な可動枠と、本体に設けられて、梱包シートで梱包されたシート束を積載した可動枠を本体側に挿入中に、梱包シートの左右両端の封印部の一方に進入しながら一方の封印部を開封する開封部材と、を備えたシート束梱包シート開封装置が記載されている。
【０００３】
しかしながら、特開２００１−３１２５８号公報に記載のシート束梱包シート開封装置では、梱包シートの４つの側面のうち１つの側面しか開封できないため、シート束と梱包シートの分離が困難であるといった問題がある。
【特許文献１】特開２００１−３１２５８号公報
【発明の概要】
【発明が解決しようとする課題】
【０００４】
本発明は、上記した問題点を解決するためになされてもので、この発明の目的の１つは、用紙梱包物を自動的に開封することが可能な梱包開封装置を提供することである。
【０００５】
この発明の他の局面によれば、用紙梱包物を自動的に開封することが可能な画像形成装置を提供することである。
【０００６】
この発明の他の局面によれば、用紙梱包物を自動的に開封することが可能な梱包開封方法を提供することである。
【課題を解決するための手段】
【０００７】
上述した目的を達成するためにこの発明のある局面によれば、梱包開封装置は、複数の用紙が重なった用紙束を梱包用紙で梱包した用紙梱包物が載置される下部本体と、ワイヤーと、ワイヤーが複数の用紙のうち互いに重なる２つの用紙の間を通過するようにワイヤーを移動させる移動機構と、を備える。
【０００８】
この局面に従えば、ワイヤーが複数の用紙のうち互いに重なる２つの用紙の間を通過するようにワイヤーが移動するので、複数の用紙を切断することなく用紙梱包物の側面を切断することができる。その結果、用紙梱包物を自動的に開封することが可能な梱包開封装置を提供することができる。
【０００９】
好ましくは、移動機構は、ワイヤーに張力を与える張力付与手段を、さらに含む。
【００１０】
この局面に従えば、ワイヤーに張力を与えるので、ワイヤーが弛まないようにして、用紙梱包物を効率的に切断することができる。
【００１１】
好ましくは、移動機構は、ワイヤーが複数の用紙の少なくとも１つの辺と交差する角度が４５°以上となるように、ワイヤーを移動させる。
【００１２】
この局面に従えば、ワイヤーが複数の用紙の少なくとも１つの辺と交差する角度が４５°以上なので、ワイヤーから梱包用紙に剪断力を効率的に加えることができる。
【００１３】
好ましくは、移動機構は、ワイヤーと同じ高さに配置される刃部を、さらに含み、用紙梱包物の側面の梱包用紙の少なくとも一部に切り込みを入れるために、刃部を移動させる。
【００１４】
この局面に従えば、刃部を移動させて、ワイヤーと同じ高さで梱包用紙の部分に切り込みを入れるので、ワイヤーを切り込みから２つの用紙の間に入り込ませることができる。ワイヤーが梱包用紙を切断する必要がないので、ワイヤーが２つの用紙の間に容易に入り込むようにすることができる。
【００１５】
好ましくは、移動機構は、用紙梱包物の２つの側面が交わる稜線で刃部をワイヤーと平行な方向に移動させる。
【００１６】
この局面に従えば、用紙梱包物の２つの側面が交わる稜線にワイヤーと平行な方向の切り込みが梱包用紙に入るので、ワイヤーを２つの用紙の間に容易に入り込ませることができる。
【００１７】
好ましくは、移動機構は、ワイヤーの一端に接続された針状部材と、用紙梱包物の側面から針状部材を挿入する挿入手段と、用紙梱包物を貫通した針状部材を保持する保持部材と、を含む。
【００１８】
この局面に従えば、ワイヤーの一端に接続された針状部材を用紙梱包物の側面から挿入し、用紙梱包物を貫通した針状部材を保持するので、２つの用紙の間にワイヤーを入り込ませることができる。
【００１９】
好ましくは、移動機構は、ワイヤーが用紙梱包物の３つの側面で梱包用紙を切断した後、用紙梱包物の残りの側面で梱包用紙にワイヤーを接触させた状態で、ワイヤーを用紙梱包物から離れる方向に移動させる。
【００２０】
この局面に従えば、梱包用紙のワイヤーと接触する部分の剪断力が小さくなるので、梱包用紙はワイヤーによって切断されることなく、ワイヤーとともに移動する。このため、梱包用紙を用紙束から分離することができる。
【００２１】
好ましくは、移動機構は、用紙梱包物の第１の側面で互いに重なった梱包用紙の間を通過するようにワイヤーを移動させる。
【００２２】
この局面に従えば、ワイヤーが、用紙梱包物の第１の側面で互いに重なった梱包用紙の間を通過するので、梱包用紙の重なりを解除することができる。このため、梱包用紙の封印部の封印を解除することができる。
【００２３】
好ましくは、移動機構は、ワイヤーの両端をそれぞれ懸架する２つの保持部材を、含み、２つの保持部材を、用紙梱包物の異なる２つの側面に沿ってそれぞれ移動させる。
【００２４】
この局面に従えば、ワイヤーの両端をそれぞれ懸架する２つの保持部材を、用紙梱包物の異なる２つの側面に沿ってそれぞれ移動させるので、ワイヤーを２つの用紙の間を通過させることができる。
【００２５】
この発明の他の局面によれば、画像形成装置は、上述した梱包開封装置を備える。
【００２６】
この発明の他の局面によれば、梱包開封方法は、複数の用紙が重なった用紙束を梱包用紙で梱包した用紙梱包物が載置される場合、用紙梱包物内の複数の用紙のうち互いに重なる２つの用紙の間をワイヤーが通過するようにワイヤーを移動させる移動ステップを梱包開封装置に実行させる。
【００２７】
この局面に従えば、用紙梱包物内の複数の用紙のうち互いに重なる２つの用紙の間をワイヤーが通過するようにワイヤーが移動するので、複数の用紙を切断することなく用紙梱包物の側面を切断することができる。その結果、用紙梱包物を自動的に開封することが可能な梱包開封方法を提供することができる。
【図面の簡単な説明】
【００２８】
【図１】本発明の実施の形態の１つにおけるＭＦＰの外観を示す斜視図である。
【図２】給紙トレイの内部構造の一例を示す斜視図である。
【図３】給紙トレイの上側構造部を下から見た底面図である。
【図４】第１保持部の一例を示す斜視図である。
【図５】第２保持部の一例を示す斜視図である。
【図６】給紙トレイの上側構造部の一部を拡大して示す図である。
【図７】給紙トレイの内部構造を示す左側面図である。
【図８】分離装置が備える回転部の一例を示す断面図である。
【図９】用紙梱包物を説明するための図である。
【図１０】給紙トレイの下側構造部の第１の平面図である。
【図１１】給紙トレイの下側構造部の第２の平面図である。
【図１２】給紙トレイの下側構造部の第３の平面図である。
【図１３】給紙トレイの下側構造部の第４の平面図である。
【図１４】給紙トレイの下側構造部の第５の平面図である。
【図１５】給紙トレイの下側構造部の第６の平面図である。
【図１６】第２の変形例における第１保持部の一例を示す斜視図である。
【図１７】第２の変形例における第２保持部の一例を示す斜視図である。
【図１８】給紙トレイの内部構造を示す第１の右側面図である。
【図１９】給紙トレイの内部構造を示す第２の右側面図である。
【図２０】第４の変形例における第１保持部の一例を示す斜視図である。
【図２１】第４の変形例における第２保持部の一例を示す斜視図である。
【図２２】第４の変形例における下側構造部の第１の平面図である。
【図２３】第４の変形例における下側構造部の第２の平面図である。
【発明を実施するための形態】
【００２９】
以下、本発明の実施の形態について図面を参照して説明する。以下の説明では同一の部品には同一の符号を付してある。それらの名称および機能も同じである。したがってそれらについての詳細な説明は繰り返さない。
【００３０】
図１は、本発明の実施の形態の１つにおけるＭＦＰの外観を示す斜視図である。なお、以下の説明において必要に応じて特定の方向や位置を示す用語として、ＭＦＰの前面、背面、右側面および左側面等を用いる場合は、あくまで説明の便宜のためであり、本発明の技術的範囲を限定するものではない。図１を参照して、ＭＦＰ（Ｍｕｌｔｉ  Ｆｕｎｃｔｉｏｎ  Ｐｅｒｉｐｈｅｒａｌ）１００は、画像形成装置の一例であり、原稿を読み取るための原稿読取部１３０と、原稿を原稿読取部１３０に搬送するための自動原稿搬送装置１２０と、画像データに基づいて用紙等に画像を形成するための画像形成部１４０と、画像形成部１４０に用紙を供給するための給紙部１５０と、ユーザーインターフェースとしての操作パネル１６０とを含む。
【００３１】
操作パネル１６０は、ＭＦＰ１００の上面に設けられる。操作パネル１６０は、表示部と操作部とを含む。表示部は、例えば、液晶表示装置（ＬＣＤ）であり、ユーザーに対する指示メニューや取得した画像データに関する情報等を表示する。なお、ＬＣＤに代えて、画像を表示する装置であれば、例えば、有機ＥＬ（ｅｌｅｃｔｒｏｌｕｍｉｎｅｓｃｅｎｃｅ）ディスプレイを用いることができる。操作部は、タッチパネルと、複数のハードキーを含むと、を含む。タッチパネルは、静電容量方式である。なお、タッチパネルは、静電容量方式に限らず、例えば、抵抗膜方式、表面弾性波方式、赤外線方式、電磁誘導方式等の他の方式を用いることができる。タッチパネルは、その検出面が表示部の上面または下面に重畳して設けられる。タッチパネルは、ユーザーが、表示部の表示面を指示する位置を検出面で検出する。また、ハードキーは、例えば接点スイッチである。
【００３２】
自動原稿搬送装置１２０は、原稿トレイ１２５上にセットされた複数枚の原稿を１枚ずつ自動的に原稿読取部１３０の原稿読み取り位置まで搬送し、原稿読取部１３０により原稿に形成された画像が読み取られた原稿を原稿排紙トレイ１２７上に排出する。自動原稿搬送装置１２０は、原稿トレイ１２５に載置される原稿を検出する原稿検出センサーを備える。
【００３３】
原稿読取部１３０は、原稿を読み取るための矩形状の読取面を有する。読取面は、例えばプラテンガラスにより形成される。原稿読取部１３０は、光を照射する光源と、光を受光する光電変換素子とを含み、読取面に載置された原稿に形成されている画像を走査する。読取領域に原稿が載置されている場合、光源から照射された光は原稿で反射し、反射した光が光電変換素子で結像する。光電変換素子は、原稿で反射した光を受光すると、受光した光を電気信号に変換した画像データを生成する。原稿読取部１３０は、画像データをＣＰＵに出力する。
【００３４】
給紙部１５０は、給紙トレイ１５０Ａ〜１５０Ｃのいずれかに収納された用紙を画像形成部１４０に搬送する。画像形成部１４０は、中央演算装置（ＣＰＵ）により制御され、周知の電子写真方式により画像を形成するものであって、ＣＰＵから入力される画像データに基づいて、給紙部１５０により搬送される用紙に画像を形成し、画像を形成した用紙を排紙トレイ１５５に排出する。
【００３５】
給紙トレイ１５０Ａ〜１５０Ｃの構成は同じなので、ここでは給紙トレイ１５０Ａを例に説明する。給紙トレイ１５０Ａは、梱包開封装置として機能する。給紙トレイ１５０Ａは、本体に対して前後方向にスライド可能な下側構造部と、ＭＦＰ１００の本体に固定された上側構造部とを含む。給紙トレイ１５０Ａの下側構造部を本体に対して前方向にスライドさせることにより、下側構造部がＭＦＰ１００の本体からその前面側に引き出された状態となり、給紙トレイ１５０Ａの下側構造部を本体に対して後方向にスライドさせることにより、下側構造部がＭＦＰ１００の本体内部に収納された状態となる。このため、ユーザーは、給紙トレイ１５０Ａの下側構造部をＭＦＰ１００の前面側に本体から引き出すことにより、用紙梱包物を給紙トレイ１５０Ａに載置することができ、さらに、下側構造部を本体内に押し込むことにより、下側構造部を本体に収納させることができる。
【００３６】
図２は、給紙トレイの内部構造の一例を示す斜視図である。図２において、ＭＦＰ１００の正面、背面、右側面および左側面の方向を矢印で示している。図２を参照して、給紙トレイ１５０Ａは、上側構造部３０と、下側構造部１０と、を含む。下側構造部１０は、用紙梱包物２００が載置される底板１１と、用紙の移動を抑止するための抑止部１３Ａ，１３Ｂと、梱包用紙を用紙束と分離するための分離装置６０と、を含む。抑止部１３Ａ，１３Ｂおよび分離装置６０それぞれは、底板１１に固定される。上側構造部３０は、ＭＦＰ１００の本体に固定された天板３１と、ワイヤー７０と、ワイヤー７０の両端をそれぞれ保持する第１保持部４０Ａおよび第２保持部４０Ｂと、第１保持部４０Ａおよび第２保持部４０Ｂそれぞれを天板３１に平行な面内で移動させる移動機構と、を含む。
【００３７】
図３は、上側構造部３０を下から見た底面図である。図３において、ＭＦＰ１００の正面、背面、右側面および左側面の方向を矢印で示している。図３を参照して、上側構造部３０は、ワイヤー７０の両端をそれぞれ保持する第１保持部４０Ａおよび第２保持部４０Ｂと、第１保持部４０Ａおよび第２保持部４０Ｂそれぞれを、天板３１に平行な面内で移動可能に保持する移動機構と、を含む。
【００３８】
移動機構は、互いに平行に配置される第１ねじ軸３２Ａおよび第１支持レール３２Ｂと、第１ねじ軸３２Ａに移動可能に支持される第１背面基台３３Ａおよび第２背面基台３３Ｂと、第１支持レール３２Ｂに摺動可能に支持される第１正面基台３４Ａおよび第２正面基台３４Ｂと、第１背面基台３３Ａおよび第１正面基台３４Ａによってそれぞれの両端が支持される第２ねじ軸３５Ａおよび第２支持レール３６Ａと、第２背面基台３３Ｂおよび第２正面基台３４Ｂによってそれぞれの両端が支持される第３ねじ軸３５Ｂおよび第３支持レール３６Ｂと、を含む。
【００３９】
第１ねじ軸３２Ａは、両端で支持台３７Ａ，３８Ａによって天板３１に固定されている。第１支持レール３２Ｂは、両端で支持台３７Ｂ，３８Ｂによって天板３１に固定されている。
【００４０】
第１ねじ軸３２Ａは、ねじが形成されている。第１背面基台３３Ａは、ナットと、ナットを回転可能に支持するナット支持部材と、ナットを回転させるための第１Ｙ軸用モータと、を有する。第１背面基台３３Ａは、それが有するナットが第１ねじ軸３２Ａに係合するように取り付けられる。そのため、第１Ｙ軸用モータが駆動されると、ナットが回転し、第１背面基台３３Ａが第１ねじ軸３２Ａに沿って移動する。また、第２背面基台３３Ｂは、ナットと、ナットを回転可能に支持するナット支持部材と、そのナットを回転させるための第２Ｙ軸用モータと、を有する。第２背面基台３３Ｂは、それが有するナットが第１ねじ軸３２Ａに係合するように取り付けられる。そのため、第２Ｙ軸用モータが駆動されると、ナットが回転し、第２背面基台３３Ｂが第１ねじ軸３２Ａに沿って移動する。また、第１背面基台３３Ａおよび第２背面基台３３Ｂとは、独立して第１ねじ軸３２Ａに沿って移動可能である。
【００４１】
第１正面基台３４Ａおよび第２正面基台３４Ｂそれぞれは、第１支持レール３２Ｂが貫通する孔が形成されている。第１正面基台３４Ａおよび第２正面基台３４Ｂそれぞれは、それが有する孔に第１支持レール３２Ｂが貫通するように取り付けられる。そのため、第１正面基台３４Ａおよび第２正面基台３４Ｂそれぞれは、第１支持レール３２Ｂに沿って摺動可能である。
【００４２】
第１背面基台３３Ａおよび第１正面基台３４Ａは、第２支持レール３６Ａの両端をそれぞれ支持する。これにより、第１背面基台３３Ａが第１ねじ軸３２Ａに沿って移動するに伴って、第１正面基台３４Ａが第１支持レール３２Ｂに沿って移動する。また、第２背面基台３３Ｂおよび第２正面基台３４Ｂは、第３支持レール３６Ｂの両端をそれぞれ支持する。これにより、第２背面基台３３Ｂが第１ねじ軸３２Ａに沿って移動するに伴って、第２正面基台３４Ｂが第１支持レール３２Ｂに沿って移動する。
【００４３】
第１背面基台３３Ａおよび第１正面基台３４Ａは、第２ねじ軸３５Ａの両端をそれぞれ回転可能に支持する軸受けを有する。第１背面基台３３Ａは、第２ねじ軸３５Ａを回転させるための第１Ｘ軸用モータを有する。第１保持部４０Ａは、第１保持部４０Ａに固定されたナットを有し、第２支持レール３６Ａが貫通する孔が形成されている。第１保持部４０Ａは、それに形成された孔に第２支持レール３６Ａが貫通し、かつ、ナットが第２ねじ軸３５Ａに係合するように取り付けられる。そのため、第１背面基台３３Ａが有する第１Ｘ軸用モータが駆動されると、第２ねじ軸３５Ａが回転し、第１保持部４０Ａが第２支持レール３６Ａに沿って移動する。
【００４４】
したがって、第１背面基台３３Ａが有する第１Ｙ軸用モータおよび第１Ｘ軸用モータを制御して回転量を調整することにより、第１保持部４０Ａを、天板３１に平行な面内の任意の位置に移動させることができる。
【００４５】
第２背面基台３３Ｂおよび第２正面基台３４Ｂは、第３ねじ軸３５Ｂの両端をそれぞれ回転可能に支持する軸受けを有する。第２背面基台３３Ｂは、第３ねじ軸３５Ａを回転させるための第２Ｘ軸用モータを有する。第２保持部４０Ｂは、第２保持部４０Ｂに固定されたナットを有し、第３支持レール３６Ｂが貫通する孔が形成されている。第２保持部４０Ｂは、それに形成された孔に第３支持レール３６Ｂが貫通し、かつ、ナットが第３ねじ軸３５Ｂに係合するように取り付けられる。そのため、第２背面基台３３Ｂが有する第２Ｘ軸用モータが駆動されると、第３ねじ軸３５Ａが回転し、第２保持部４０Ｂが第３支持レール３６Ｂに沿って移動する。
【００４６】
したがって、第２背面基台３３Ｂが有する第２Ｙ軸用モータおよび第２Ｘ軸用モータを制御して回転量を調整することにより、第２保持部４０Ｂを、天板３１に平行な面内の任意の位置に移動させることができる。
【００４７】
図４は、第１保持部の一例を示す斜視図である。図４を参照して、第１保持部４０Ａは、第１基台４１Ａと、第１基台４１Ａの下面から伸びる第１張架柱４５Ａおよび巻き取り部４６とを有する。第１基台４１Ａは、第２ねじ軸３５Ａと係合するためのナット４７Ａを有し、第２支持レール３６Ａが貫通する孔４８Ａが形成されている。巻き取り部４６は、ワイヤー７０を所定の力で巻き取る。第１張架柱４５Ａは、ワイヤー７０と係合する溝５１を有し、巻き取り部４６から引っ張り出されたワイヤー７０の方向を変更する。巻き取り部４６から引っ張り出されるワイヤー７０は、第１張架柱４５Ａの溝５１に係合するので、ワイヤー７０が巻き取り部４６から引っ張り出される角度が一定になる。このため、巻き取り部４６がワイヤー７０を一定の力で巻き取る場合、ワイヤー７０に加わる張力を一定にすることができる。第１張架柱４５Ａの溝５１と第１基台４１Ａの下面との間の距離Ｈ１は、巻き取り部４６がワイヤー７０の排出口の位置と第１基台４１Ａの下面との間の距離と同じにするのが好ましい。距離Ｈ１は、ワイヤー７０が、用紙梱包物２００と交わる位置となるように定められる。具体的には、第１張架柱４５Ａの溝５１が、底板１１より上方で、底板１１から用紙梱包物２００の厚み方向の長さだけ上方の位置より下方に位置するように、距離Ｈ１が定められる。好ましくは、距離Ｈ１は、第１張架柱４５Ａの溝５１が、底板１１から用紙梱包物２００の厚み方向の長さの２／３だけ上方の位置となる値であるのが好ましい。
【００４８】
図５は、第２保持部の一例を示す斜視図である。図５を参照して、第２保持部４０Ｂは、第２基台４１Ｂと、第２基台４１Ｂの下面から伸びる第２張架柱４５Ｂと、第２張架柱４５Ｂの所定の位置に配置されたカッター５０とを有する。第２基台４１Ｂは、第３ねじ軸３５Ｂと係合するためのナット４７Ｂを有し、第３支持レール３６Ｂが貫通する孔４８Ｂが形成されている。第２張架柱４５Ｂの固定部５３にワイヤー７０の一端が固定される。第２張架柱４５Ｂにカッター５０が配置される位置と第２基台４１Ｂの下面からの距離と、第２張架柱４５Ｂの固定部５３と第２張架柱４５Ｂの下面との間の距離とは、第１張架柱４５Ａの溝５１と第１基台４１Ａの下面との間の距離Ｈ１と同じである。したがって、ワイヤー７０は、第１張架柱４５Ａの溝５１と第２張架柱４５Ｂの固定部５３とで水平方向に張架される。カッター５０は、その刃が水平となるように第２張架柱４５Ｂに取り付けられている。
【００４９】
図６は、上側構造部の一部を拡大して示す図である。図６は、図３において、点線で示す領域Ａの部分を示す。図６を参照して、ワイヤー７０は、その一端が第１保持部４０Ａの巻き取り部４６に固定され、その他端が、第２保持部４０Ｂが有する第２張架柱４５Ｂの固定部５３で固定される。ワイヤー７０は、第２張架柱４５Ｂと巻き取り部４６との間の第１張架柱４５Ａで方向が変更される。巻き取り部４６は、第１張架柱４５Ａと第２張架柱４５Ｂとの間でワイヤー７０に所定の張力が働くように、ワイヤー７０を巻き取る。このため、第１保持部４０Ａおよび第２保持部４０Ｂの少なくとも一方が移動するに伴って、第１張架柱４５Ａと第２張架柱４５Ｂとの間の距離が変化するが、第１張架柱４５Ａと第２張架柱４５Ｂとの間のワイヤー７０に働く張力を一定にすることができる。
【００５０】
次に、下側構造部１０の分離装置６０について説明する。図７は、給紙トレイの内部構造を示す左側面図である。図７において、ＭＦＰ１００の正面および背面の方向を矢印で示している。図７を参照して、分離装置６０は、底板１１に固定された第１支柱６１Ａおよび第２支柱６１Ｂと、回転部６３と、を含む。回転部６３は、四角柱であり、回転軸を有する。第１支柱６１Ａおよび第２支柱６１Ｂそれぞれは、回転部６３の回転軸の両端を軸支する。第１支柱６１Ａは、回転部６３の回転軸を回転させる回転モータを有する。このため、回転モータを駆動すると、回転部６３が回転軸を中心に回転する。
【００５１】
図８は、分離装置が備える回転部の一例を示す断面図である。図８を参照して、回転部６３は、回転部本体６９と、断面がＬ字形状の挟持部６４Ａ，６４Ｂとを含む。挟持部６４Ａは、回転軸６５Ａで回転可能に回転部本体６９に取り付けられ、挟持部６４Ｂは、回転軸６５Ｂで回転可能に回転部本体６９に取り付けられる。挟持部６４Ａ，６４Ｂそれぞれは、第１の状態では、図８に点線で示すように、回転部本体６９の内側に収納される。挟持部６４Ａ，６４Ｂそれぞれは、第２の状態では、図８に実線で示すように、挟持部６４Ａ，６４Ｂそれぞれは、その一部が回転部本体６９の外側に突出する。
【００５２】
第２の状態において、挟持部６４Ａ，６４Ｂそれぞれの回転部本体６９の外側に突出した部分と、回転部本体６９との間に所定の隙間が設けられるように、挟持部６４Ａ，６４Ｂそれぞれのサイズおよび回転軸６５Ａ，６５Ｂの位置が設定されている。
【００５３】
ここで、本実施の形態におけるＭＦＰが梱包を開封する用紙梱包物について説明する。図９（Ａ）に示すように、複数の用紙が重なった用紙束２２０を梱包用紙２１１の上に置き、梱包用紙２１１を筒状に変形させて用紙束２２０を包み込み、図９（Ｂ）に示すように、筒状の梱包用紙２１１の開放部分を折り込むことにより舌片２１３Ａおよび舌片２１３Ｂの組と、舌片２１４Ａおよび舌片２１４Ｂの組を形成する。最後に、舌片２１３Ａおよび舌片２１３Ｂが重なるように折りたたんで、重なる部分をのり付けし、舌片２１４Ａおよび舌片２１４Ｂが重なるように折りたたんで、重なる部分をのり付けすることにより用紙梱包物２００が完成する（図９（Ｃ））。
【００５４】
次に、ＭＦＰ１００が用紙梱包物２００を開封する動作について説明する。まず、第１保持部４０Ａおよび第２保持部４０Ｂをデフォルト位置に移動させる。図１０は、下側構造部１０の第１の平面図である。図１０においては、用紙梱包物２００が載置された状態における下側構造部１０を示し、第１保持部４０Ａの第１張架柱４５Ａおよび巻き取り部４６と、第２保持部４０Ｂの第２張架柱４５Ｂと、を示している。また、用紙梱包物２００は、舌片２１４Ａおよび舌片２１４Ｂの組が形成される側面が抑止部１３Ａ，１３Ｂに当接するように、底板１１に載置されている。ここで、用紙梱包物２００の舌片２１３Ａおよび舌片２１３Ｂの組が形成される側面を第１の側面という。第２保持部４０Ｂのデフォルト位置は、第２張架柱４５Ｂが用紙梱包物２００の第１の側面に接する位置である。第２保持部４０Ｂのデフォルト位置において、第２張架柱４５Ｂは、用紙梱包物２００の第１の側面に接する第２の側面とで形成される稜線の近傍で、第１の側面に当接する。ここでは、用紙梱包物の第２の側面を、ＭＦＰ１００の正面側の側面としている。第１保持部４０Ａのデフォルト位置は、第２保持部４０Ｂの第２張架柱４５Ｂに、第１張架柱４５Ａが最も近くなる位置である。
【００５５】
第２保持部４０Ｂがデフォルト位置に移動することにより、第２保持部４０Ｂの第２張架柱４５Ｂに配置されたカッター５０が、用紙梱包物２００の第１の側面と第２の側面とで形成される稜線の近傍で、第１の側面に切り込みを入れる。
【００５６】
次に、第２保持部４０Ｂを、第２張架柱４５Ｂが用紙梱包物２００に接した状態を維持しながら、第１の側面に沿って移動させ後、第２の側面に沿って移動させる。これにより、カッター５０が、用紙梱包物２００の第１の側面と第２の側面とが接する稜線に切り込みを入れる。ワイヤー７０は、第２張架柱４５Ｂの固定部５３で固定されており、カッター５０が固定部５３と同じ高さで第２張架柱４５Ｂに設けられているので、第２張架柱４５Ｂの移動に伴って、図１１に示すように、ワイヤー７０が、用紙梱包物２００にカッター５０によって形成された切り込みから用紙梱包物２００の内部に進入する。この状態において、ワイヤー７０は、用紙梱包物２００の内部の用紙束２２０のうち互いに重なる２つの用紙の間に進入する。第１張架柱４５Ａと第２張架柱４５Ｂとで張架するワイヤー７０の長さをできるだけ短くすることにより、ワイヤー７０が、用紙梱包物２００の内部の用紙束２２０のうち互いに重なる２つの用紙の間に侵入し易くすることができる。
【００５７】
次に、第１張架柱４５Ａが用紙梱包物２００の第１の側面に沿って移動するように第１保持部４０Ａを移動させるとともに、第２張架柱４５Ｂが用紙梱包物２００の第２の側面に沿って移動するように第２保持部４０Ｂを移動させる。これにより、ワイヤー７０は、用紙束２２０の互いに重なる２つの用紙の間を、用紙梱包物２００の第１の側面および第２の側面に存在する梱包用紙２１１を切断しながらすり抜ける。この場合、ワイヤー７０が用紙梱包物２００の第１の側面および第２の側面に存在する梱包用紙２１１を切断するための剪断力を最大にするために、ワイヤー７０が用紙梱包物２００の第１の側面および第２の側面それぞれと角度４５度となる状態を維持するのが好ましい。ここでは、第１保持部４０Ａおよび第２保持部４０Ｂの移動する速さを同じにしているので、用紙梱包物２００の第１の側面に存在する梱包用紙２１１が第２の側面に存在する梱包用紙２１１より先に、ワイヤー７０によって切断される。
【００５８】
図１２に示すように、用紙梱包物２００の第１の側面がワイヤー７０によって切断された段階で、第１張架柱４５Ａが用紙梱包物２００の第２の側面に対応する第３の側面に沿って移動するように、第１保持部４０Ａを移動させる。ワイヤー７０は、用紙束２２０の互いに重なる２つの用紙の間を、用紙梱包物２００の第３の側面および第２の側面にそれぞれ存在する梱包用紙２１１を切断しながらすり抜ける。この場合においても、第１保持部４０Ａおよび第２保持部４０Ｂの移動する速さを同じにしているので、ワイヤー７０が第３の側面および第２の側面を切断するための剪断力を最大にするために、ワイヤー７０が用紙梱包物２００の第１の側面および第２の側面それぞれと角度４５度となる状態を維持するのが好ましい。ここでは、用紙梱包物２００の第２の側面が第３の側面より先に、ワイヤー７０によって切断される。
【００５９】
図１３に示すように、用紙梱包物２００の第２の側面がワイヤー７０によって切断された段階で、第２保持部４０Ｂの移動を停止させる。第１保持部４０Ａを停止させることなく移動させることにより、ワイヤー７０は、用紙束２２０の互いに重なる２つの用紙の間を、用紙梱包物２００の第３の側面に存在する梱包用紙２１１を切断しながらすり抜ける。この場合、ワイヤー７０が第３の側面を切断するための剪断力を最大にするために、ワイヤー７０が用紙梱包物２００の第１の側面と角度４５度以上となる状態を維持するのが好ましい。また、第１保持部４０Ａの移動に伴って、ワイヤー７０によって、用紙梱包物２００の第４の側面に存在する梱包用紙２１１が切断されないように、第２保持部４０Ｂを逆方向に移動させるのが好ましい。
【００６０】
図１４に示すように、用紙梱包物２００の第３の側面に存在する梱包用紙２１１がワイヤー７０によって切断された段階で、第１保持部４０Ａの移動を停止させる。第３の側面がワイヤー７０によって切断が完了する前に、ワイヤー７０が第４の側面と平行となるように、第１保持部４０Ａと第２保持部４０Ｂとを移動させ、ワイヤー７０を第４の側面に当接させるようにするのが好ましい。これにより、ワイヤー７０によって第４の側面が切断されないようにすることができる。
【００６１】
さらに、第１保持部４０Ａと第２保持部４０Ｂとを用紙梱包物２００から離れる方向に移動させる。この場合、ワイヤー７０は、用紙梱包物２００の第４の側面に存在する梱包用紙２１１に接触した状態で、用紙梱包物の第４の側面に存在する梱包用紙２１１を押す方向に移動する。この際、ワイヤー７０と梱包用紙２１１の第４の側面に存在する梱包用紙２１１とのなす角はゼロ度なので、梱包用紙２１１がワイヤー７０より受ける剪断力が最小となり、梱包用紙２１１がワイヤー７０より引っ張られて移動する。梱包用紙２１１は、用紙梱包物の第１の側面の部分がワイヤー７０によって切断されているので、用紙梱包物の第１の側面側が開封されている。このため、梱包用紙２１１は、用紙束２２０と重なる部分で摩擦力を受けるとともに、抑止部１３Ａ，１３Ｂとの間で摩擦力を受ける。梱包用紙２１１がワイヤー７０により引っ張られる力が、梱包用紙２１１と用紙束２２０との間の摩擦力および梱包用紙２１１と抑止部１３Ａ，１３Ｂとの間の摩擦力に打ち勝てば、梱包用紙２１１の移動により、梱包用紙２１１と用紙束２２０とが分離される。
【００６２】
図１５に示すように、梱包用紙２１１が用紙束２２０から分離されて、分離装置６０の上方まで移動した段階で、第１保持部４０Ａと第２保持部４０Ｂとを停止させる。なお、梱包用紙２１１にはワイヤー７０から剪断力が加わるが、梱包用紙２１１が移動するので、梱包用紙２１１が切断されることがない。
【００６３】
梱包用紙２１１が分離装置６０の上方まで移動した段階で分離装置６０を駆動する。具体的には、挟持部６４Ａ，６４Ｂを第１の状態から第２の状態に変化させる。第１の状態における挟持部６４Ａ，６４Ｂを、回転軸６５Ａ，６５Ｂそれぞれを中心に回転させることにより第２の状態に変化させる。挟持部６４Ａ，６４Ｂは第２の状態で、回転部本体６９の外側に突出するので、回転部６３の挟持部６４Ａ，６４Ｂそれぞれと回転部本体６９とで、梱包用紙２１１を挟む状態になる。この第２の状態で、回転部本体６９を回転させることにより、梱包用紙２１１が回転部本体６９に巻き付く。この際に、梱包用紙２１１のワイヤー７０と接する部分は、ワイヤー７０により切断される。なお、第１保持部４０Ａと第２保持部４０Ｂの少なくとも一方を移動させてワイヤー７０が梱包用紙２１１と交わる角度をゼロ度より大きくすることにより、ワイヤー７０で梱包用紙２１１を切断するのに必要な力を小さくすることができる。一方、用紙束２２０は、抑止部１３Ａ，１３Ｂにより移動しないように抑止されるので、梱包用紙２１１が用紙束２２０から分離されて回転部６３により巻き取られる。
【００６４】
なお、回転部６３にカッターを内蔵するようにして、回転部本体６９が巻き取った梱包用紙２１１をカッターで切断することにより、回転部本体６９から梱包用紙２１１を分離するようにしてもよい。
【００６５】
以上説明したように、本実施の形態におけるＭＦＰ１００が備える給紙部１５０は、給紙トレイ１５０Ａを有し、給紙トレイ１５０Ａは、梱包開封装置として機能し、複数の用紙が重なった用紙束を梱包用紙で梱包した用紙梱包物が載置される下側構造部１０と、ワイヤー７０と、ワイヤー７０が複数の用紙のうち互いに重なる２つの用紙の間を通過するようにワイヤー７０を移動させる移動機構を有する上側構造部３０と、を備える。このため、複数の用紙を切断することなく用紙梱包物２００の側面を切断することができ、用紙梱包物を自動的に開封することができる。
【００６６】
また、巻き取り部４６がワイヤー７０を巻き取るとともに、ワイヤー７０に張力を与えるので、ワイヤーが弛まないようにして、梱包用紙２１１を効率的に切断することができる。
【００６７】
また、上側構造部３０は、第１保持部４０Ａおよび第２保持部４０Ｂをワイヤー７０が複数の用紙の少なくとも１つの辺と交差する角度が４５°以上となるように、ワイヤー７０を移動させるので、ワイヤー７０から梱包用紙２１１に剪断力を効率的に加えることができる。
【００６８】
また、上側構造部３０が備える第２保持部４０Ｂの第２張架柱４５Ｂに、ワイヤー７０が固定される位置と同じ高さにカッター５０が配置され、第２保持部４０Ｂを用紙梱包物２００の側面の梱包用紙２１１の少なくとも一部に切り込みを入れるために、用紙梱包物２００の側面に沿って移動させる。このため、カッター５０で用紙梱包物２００の側面の梱包用紙２１１に切り込みを入れるとともに、ワイヤー７０を切り込みから２つの用紙の間に入り込ませることができる。ワイヤー７０で梱包用紙を切断する必要がなく、ワイヤー７０が２つの用紙の間に容易に入り込むようにすることができる。
【００６９】
また、上側構造部３０は、用紙梱包物２００の第１の側面と第２の側面とが交わる稜線でカッター５０をワイヤー７０と平行な方向に移動するように、第２保持部４０Ｂを移動させる。このため、用紙梱包物２００内の用紙束２２０のうち２つの用紙の間にワイヤー７０を容易に入り込ませることができる。
【００７０】
また、上側構造部３０は、ワイヤー７０が用紙梱包物２００の３つの第１〜第３の側面で梱包用紙２１１を切断した後、用紙梱包物２００の残りの第４の側面で梱包用紙２１１にワイヤー７０を接触させた状態で、ワイヤー７０を用紙梱包物２００から離れる方向に移動するように、第１保持部４０Ａおよび第２保持部４０Ｂを移動させる。このため、梱包用紙２１１のワイヤー７０と接触する部分の剪断力が小さくなるので、梱包用紙２１１はワイヤー７０によって切断されることなく、ワイヤー７０とともに移動する。このため、梱包用紙２１１を用紙束２２０から分離することができる。
【００７１】
また、上側構造部３０は、ワイヤー７０の両端をそれぞれ懸架する第１張架柱４５Ａおよび第１張架柱４５Ｂが用紙梱包物２００の異なる２つの側面に沿ってそれぞれ移動するように、第１保持部４０Ａおよび第２保持部４０Ｂを移動させる。このため、用紙梱包物２００内の用紙束２２０のうち２つの用紙の間を通過させることができる。
【００７２】
＜第１の変形例＞
第２保持部４０Ｂをデフォルト位置に移動させる前に、第２張架柱４５Ｂを用紙梱包物２００の第１の側面に当接させた状態で、第１の側面に沿って移動させるようにしてもよい。これにより、第２張架柱４５Ｂに配置されたカッター５０が、用紙梱包物２００の第１の側面を切断する。このため、用紙梱包物２００の第１の側面に形成される舌片２１３Ａと舌片２１３Ｂが切断されるので、用紙梱包物２００を第１の側面で開封することができる。
【００７３】
＜第２の変形例＞
第２の変形例におけるＭＦＰ１００は、ワイヤー７０で用紙梱包物２００の第１の側面に形成される舌片２１３Ａと舌片２１３Ｂの接着を解除する。
【００７４】
図１６は、第２の変形例における第１保持部の一例を示す斜視図である。図１６を参照して、第１保持部４０Ａは、第１基台４１Ａと、第１昇降台４２Ａと、第１昇降台４２Ａから上方に伸びる第１垂直ねじ軸４３Ａおよび第１垂直ガイド４４Ａと、を含む。第１基台４１Ａは、第２ねじ軸３５Ａと係合するためのナット４７Ａを有し、第２支持レール３６Ａが貫通する孔４８Ａが形成されている。第１垂直ねじ軸４３Ａおよび第１垂直ガイド４４Ａは、互いに平行となるように、それぞれの一端で第１昇降台４２Ａにより支持される。第１垂直ガイド４４Ａの一端は第１昇降台４２Ａの上面で固定される。第１基台４１Ａおよび第１昇降台４２Ａそれぞれは、第１垂直ねじ軸４３Ａを支持する軸受けを有する。第１昇降台４２Ａは、第１垂直ねじ軸４３Ａを回転させるための第１Ｚ軸用モータを有する。第１基台４１Ａは、第１垂直ガイド４４Ａが貫通する孔が形成されており、その孔に対して予め定められた相対位置に固定されたナットを有する。第１基台４１Ａの孔に第１垂直ガイド４４Ａが貫通し、第１基台４１Ａのナットが第１垂直ねじ軸４３Ａに係合するように第１保持部４０Ａが組み立てられる。これにより、第１昇降台４２Ａが有する第１Ｚ軸用モータが駆動されると、第１垂直ねじ軸４３Ａが回転し、第１基台４１Ａと第１昇降台４２Ａとの間の距離が変化する。換言すれば、第１基台４１Ａに対して第１昇降台４２Ａが垂直方向に沿って昇降する。第１昇降台４２Ａは、上面と反対側の下面に、下面から伸びる第１張架柱４５Ａと、巻き取り部４６とを有する。
【００７５】
図１７は、第２の変形例における第２保持部の一例を示す斜視図である。図１７を参照して、第２保持部４０Ｂは、第２基台４１Ｂと、第２昇降台４２Ｂと、第２昇降台４２Ｂから上方に伸びる第２垂直ねじ軸４３Ｂおよび第２垂直ガイド４４Ｂと、を含む。第２基台４１Ｂは、第３ねじ軸３５Ｂと係合するためのナット４７Ｂを有し、第３支持レール３６Ｂが貫通する孔４８Ｂが形成されている。第２垂直ねじ軸４３Ｂおよび第２垂直ガイド４４Ｂは、互いに平行となるように、それぞれの一端で第２昇降台４２Ｂにより支持される。第２垂直ガイド４４Ｂの一端は第２昇降台４２Ｂの上面で固定される。第２基台４１Ｂおよび第２昇降台４２Ｂは、第２垂直ねじ軸４３Ｂを支持する軸受けを有する。第２昇降台４２Ｂは、第２垂直ねじ軸４３Ｂを回転させるための第２Ｚ軸用モータを有する。第２基台４１Ｂは、第２垂直ガイド４４Ｂが貫通する孔が形成されており、その穴に対して予め定められた相対位置に固定されたナットを有する。第２基台４１Ｂの孔に第２垂直ガイド４４Ｂが貫通し、第２基台４１Ｂのナットが第２垂直ねじ軸４３Ｂに係合するように第２保持部４０Ｂが組み立てられる。これにより、第２昇降台４２Ｂが有する第２Ｚ軸用モータが駆動されると、第２垂直ねじ軸４３Ｂが回転し、第２基台４１Ｂと第２昇降台４２Ｂとの間の距離が変化する。換言すれば、第２基台４１Ｂに対して第２昇降台４２Ｂが垂直方向に沿って昇降する。第２昇降台４２Ｂは、上面と反対側の下面から伸びる第２張架柱４５Ｂと、第２張架柱４５Ｂの所定の位置に配置されたカッター５０とを有する。
【００７６】
次に、ＭＦＰ１００が用紙梱包物２００の第１の側面を開封する動作について説明する。図１８は、給紙トレイの内部構造を示す第１の右側面図である。図１８においては、ワイヤー７０が第１の位置に移動した状態を示している。ワイヤー７０は、第１の位置において、用紙梱包物２００の第１の側面に当接し、かつ、垂直方向で用紙梱包物２００の舌片２１３Ａと舌片２１３Ｂとが重なる部分の上側となる。ここでは、用紙梱包物２００の第１の側面を、舌片２１３Ａと舌片２１３Ｂとが重なる側面としている。
【００７７】
ワイヤー７０が図１８に示す第１の位置となるように、第１保持部４０Ａおよび第２保持部４０Ｂを移動させる。次に、第１保持部４０Ａの第１Ｚ軸用モータおよび第２保持部４０Ｂの第２Ｚ軸用モータを駆動して、ワイヤー７０を第１の位置より下方の第２の位置まで移動させる。
【００７８】
図１９は、給紙トレイの内部構造を示す第２の右側面図である。ワイヤーが第２の位置に移動した状態を示している。第２の位置は、ワイヤー７０が用紙梱包物２００の第１の側面に当接し、かつ、垂直方向が用紙梱包物２００の舌片２１３Ａと舌片２１３Ｂとが重なる部分の下側となる位置である。ワイヤー７０の下降に伴って、舌片２１３Ａと舌片２１３Ｂとが重なる部分で、ワイヤー７０が舌片２１３Ａと舌片２１３Ｂとの間に入り込みつつ移動する。これにより、舌片２１３Ａと舌片２１３Ｂとが接着しなくなり、用紙梱包物２００の舌片２１３Ａと舌片２１３Ｂとが形成される側面が開放する。
【００７９】
なお、用紙梱包物２００が、図１８および図１９に示した場合と上下反転した状態で底板１１に載置される場合があるので、この場合には、ワイヤー７０を第２の位置から第１の位置に向かって上方向に移動させる。
【００８０】
なお、ワイヤー７０を第１の位置から第２の位置へ移動させ、第２の位置から第１の位置へ移動させる１回のサイクルを、複数回繰り返すようにしてもよい。また、第１の位置および第２の位置において、ワイヤー７０が水平方向である場合を示したが、ワイヤー７０が第１の位置から第２の位置の間に位置する状態では、ワイヤー７０を水平方向である必要はなく、ワイヤー７０が舌片２１３Ａと舌片２１３Ｂとの間に入り込みつつ移動しやすくするために、水平方向に対して所定の角度でワイヤー７０を移動させるようにしてもよい。
【００８１】
第２の変形例におけるＭＦＰ１００において、上側構造部３０は、用紙梱包物２００の第１の側面で互いに重なった舌片２１３Ａ，２１３Ｂの間をワイヤー７０が通過するように、第１保持部４０Ａおよび第２保持部４０Ｂを移動させるので、梱包用紙２１１の舌片２１３Ａ，２１３Ｂの間の重なりを解除することができ、梱包用紙２１１の封印部の封印を解除することができる。
【００８２】
＜第３の変形例＞
上述した実施の形態においては、第１保持部４０Ａが、第１張架柱４５Ａと巻き取り部４６とを備え、第２保持部が第２張架柱４５Ｂとカッター５０とを備え、巻き取り部４６と第２張架柱４５Ｂとでワイヤー７０を張架するようにした。第３の変形例においては、第２張架柱４５Ｂに、ワイヤー７０の巻き取り機構を設けるようにし、ワイヤー７０を第１張架柱４５Ａの巻き取り部４６と、第２張架柱４５Ｂの巻き取り機構とで張架する。そして、ワイヤー７０に一定の協力を付与しつつ、第１の段階で、第１張架柱４５Ａの巻き取り部４６で巻き取るとともに第２張架柱４５Ｂの巻き取り機構から排出し、第２の段階で、第１張架柱４５Ａの巻き取り部４６から排出するとともに、第２張架柱４５Ｂの巻き取り機構で巻き取るサイクルを繰り返す。これにより、ワイヤー７０が梱包用紙２１１に加える剪断力を大きくすることができる。
【００８３】
＜第４の変形例＞
上述した実施の形態においては、第１保持部４０Ａが、第１張架柱４５Ａと巻き取り部４６とを備え、第２保持部が第２張架柱４５Ｂとカッター５０とを備え、第１張架柱４５Ａと第２張架柱４５Ｂとの間で、ワイヤー７０を常に張架するようにした。
【００８４】
第４の変形例においては、ワイヤー７０の一端に針状部材を接続するようにし、第１保持部４０Ａで保持する針状部材を第２保持部４０Ｂに移動させて第２保持部４０Ｂで針状部材を保持することにより、第１保持部４０Ａと第２保持部４０Ｂとの間で、ワイヤー７０を張架するようにする。
【００８５】
図２０は、第４の変形例における第１保持部の一例を示す斜視図である。図２０を参照して、第１保持部４０Ａは、第１基台４１Ａと、第１基台４１Ａの下面に配置された送り側張架部８１と、を含む。送り側張架部８１は、ワイヤー７０を巻き取る巻き取り機構と、ワイヤー７０の一端に接続された針状部材８５を所定の方向に送り出す送出機構とを有する。送り側張架部８１は送出機構として、円筒形状の円筒ガイド８７と、円筒ガイド８７内を摺動する円柱状の送出棒８８とを有する。ワイヤー７０を巻き取った状態で、円筒ガイド８７内に針状部材８５が収納される。
【００８６】
図２１は、第４の変形例における第２保持部の一例を示す斜視図である。図２１を参照して、第２保持部４０Ｂは、第２基台４１Ｂと、第２基台４１Ｂの下面に配置された受け側張架部８３と、を含む。受け側張架部８３は、第２基台４１Ｂの底面と垂直な回転軸を中心に回転可能に第２基台４１Ｂに取り付けられる。受け側張架部８３は、針状部材８５が貫通可能な孔８９が形成されている。
【００８７】
図２２は、第４の変形例における下側構造部１０の第１の平面図である。図２２においては、用紙梱包物２００が載置された状態における下側構造部１０を示し、第１保持部４０Ａの送り側張架部８１と、第２保持部４０Ｂの受け側張架部８３と、を示している。また、用紙梱包物２００は、舌片２１４Ａおよび舌片２１４Ｂの組が形成される側面が抑止部１３Ａ，１３Ｂに当接するように、底板１１に載置されている。また、図２２においては、第１保持部４０Ａおよび第２保持部４０Ｂそれぞれがデフォルト位置に移動した状態を示している。第１保持部４０Ａのデフォルト位置は、送り側張架部８１が、用紙梱包物２００の第１の側面の近傍であって、用紙梱包物２００の第１の側面と第２の側面とで形成される稜線の近傍となる位置である。第２保持部４０Ｂのデフォルト位置は、受け側張架部８３が用紙梱包物２００の第２の側面の近傍であって、用紙梱包物２００の第２の側面と第１の側面とで形成される稜線の近傍となる位置である。
【００８８】
第１保持部４０Ａおよび第２保持部４０Ｂがデフォルト位置に移動した状態で、送り側張架部８１は、送出棒８８を円筒ガイド４７内に挿入して、円筒ガイド４７に収納された針状部材８５を円筒ガイド４７の外側に向かって押し出す。これにより、針状部材８５が円筒ガイド４７を摺動しつつ、用紙梱包物２００の第１の側面および第２の側面を貫通し、受け側張架部８３に形成された孔８９に挿入される。
【００８９】
受け側張架部８３は、図２２に示すように針状部材８５が孔８９に挿入された後に、回転軸を中心に回転することにより、針状部材８５に接続されたワイヤー７０を巻き付ける。その後の第１保持部４０Ａおよび第２保持部４０Ｂを、上述した実施の形態と同様に移動させる。
【００９０】
第４の変形例におけるＭＦＰ１００は、下側構造部３０が、ワイヤー７０の一端に接続された針状部材８５と、用紙梱包物２００の側面から針状部材８５を挿入する送出機構を備えた送り側張架部８１と、用紙梱包物２００を貫通した針状部材８５を保持する受け側張架部８３と、を備えるので、用紙梱包物２００内の用紙束２２０のうち２つの用紙の間にワイヤー７０を入り込ませることができる。
【００９１】
＜第５の変形例＞
上述した実施の形態におけるＭＦＰ１００において、分離装置６０は、四角柱の回転部６３を、回転軸を中心に回転させて、梱包用紙２１１を巻き取るようにして、梱包用紙２１１を、用紙束２２０と分離するようにした。第５の変形例におけるＭＦＰ１００は、分離装置６０を、２本のローラーで構成するようにし、２本のローラーで梱包用紙２１１を挟み込んで搬送する。第５の変形例におけるＭＦＰ１００は、分離装置６０の回転部６３に代えて、円柱形状の第１のローラーと、第１の円柱の回転軸に平行な回転軸を中心に回転可能な円柱形状の第２のローラーとを有する。第２のローラーは、回転軸が上下に移動可能であり、第１のローラーと第２のローラーとの間が所定の間隔となるようにデフォルト位置に配置される。そして、第１のローラーの上方に梱包用紙２１１が運ばれてきた後に、下降し、第１のローラーと第２のローラーとで梱包用紙２１１を挟み込む。そして、第１のローラーを回転させることにより、梱包用紙２１１を搬送する。これにより、梱包用紙２１１を用紙束２２０と分離することができる。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９３】
＜付記＞
（１）  移動機構は、用紙梱包物の上下方向に対して上面から１／３以内の高さで、ワイヤーを移動させる、請求項１〜６のいずれかに記載の梱包開封装置。
（２）  移動機構は、ワイヤーが２つの用紙の間に入り込む前に刃部を移動させる、請求項４または５に記載の梱包開封装置。
この局面に従えば、ワイヤーが２つの用紙の間に入り込む前に刃部を移動させるので、ワイヤーを２つの用紙の間に容易に入り込ませることができる。
（３）  移動機構は、ワイヤーが用紙梱包物の第１の側面に接した状態で、２つの保持部材それぞれを上下方向に移動させる、請求項２に記載の梱包開封装置。
この局面に従えば、ワイヤーが用紙梱包物の第１の側面に接した状態で、２つの保持部材それぞれを上下方向に移動させるので、第１の側面で重なった梱包用紙の間にワイヤーを通過させることができる。
【符号の説明】
【００９４】
１００  ＭＦＰ、１２０  自動原稿搬送装置、１３０  原稿読取部、１４０  画像形成部、１５０  給紙部、１５０Ａ-１５０Ｃ  給紙トレイ、１６０  操作パネル、１０  下側構造部、１１  底板、１３Ａ，１３Ｂ  抑止部、３０  上側構造部、３１  天板、３２Ａ  第１ねじ軸、３２Ｂ  第１支持レール、３３Ａ  第１背面基台、３３Ｂ  第２背面基台、３４Ａ  第１正面基台、３４Ｂ  第２正面基台、３５Ａ  第１ねじ軸、３５Ｂ  第２ねじ軸、３６Ａ  第１支持レール、３６Ｂ  第２支持レール、３７Ａ，３８Ａ，３７Ｂ，３８Ｂ  支持台、４０Ａ  第１保持部、４０Ｂ  第２保持部、４１Ａ  第１基台、４１Ｂ  第２基台、４２Ａ  第１昇降台、４２Ｂ  第２昇降台、４３Ａ  第１垂直ねじ軸、４３Ｂ  第２垂直ねじ軸、４４Ａ  第１垂直ガイド、４４Ｂ  第２垂直ガイド、４５Ａ  第１張架柱、４５Ｂ  第２張架柱、４６  巻き取り部、４７  円筒ガイド、４７Ａ，４７Ｂ  ナット、４８Ａ，４８Ｂ  孔、５０  カッター、５１  溝、５３  固定部、６０  分離装置、６１Ａ，６１Ｂ  支柱、６３  回転部、６４Ａ，６４Ｂ  挟持部、６５Ａ，６５Ｂ  回転軸、６９  回転部本体、７０  ワイヤー、８１  送り側張架部、８３  受け側張架部、８５  針状部材、８７  円筒ガイド、８８  送出棒、８９  孔、２００  用紙梱包物、２１１  梱包用紙、２１３Ａ，２１３Ｂ，２１４Ａ，２１４Ｂ  舌片、２２０  用紙束。
【図１】
2019031390.tif 000003
【図２】
2019031390.tif 000004
【図３】
2019031390.tif 000005
【図４】
2019031390.tif 000006
【図５】
2019031390.tif 000007
【図６】
2019031390.tif 000008
【図７】
2019031390.tif 000009
【図８】
2019031390.tif 000010
【図９】
2019031390.tif 000011
【図１０】
2019031390.tif 000012
【図１１】
2019031390.tif 000013
【図１２】
2019031390.tif 000014
【図１３】
2019031390.tif 000015
【図１４】
2019031390.tif 000016
【図１５】
2019031390.tif 000017
【図１６】
2019031390.tif 000018
【図１７】
2019031390.tif 000019
【図１８】
2019031390.tif 000020
【図１９】
2019031390.tif 000021
【図２０】
2019031390.tif 000022
【図２１】
2019031390.tif 000023
【図２２】
2019031390.tif 000024
【図２３】
2019031390.tif 000025